(57)【特許請求の範囲】
【請求項１】
天井部から繰出される閉鎖姿勢と天井部に収納される開放姿勢とに変姿するシャッターカーテンに、閉鎖姿勢のシャッターカーテンに隣接した位置で開閉作動すべく設けられた避難扉を並設するにあたり、シャッターカーテンの避難扉側のガイドレールを、上端部が天井側に揺動自在に軸支され、間隙を存して対向する前後一対のガイド片で構成して、シャッターカーテンが前記間隙を貫通ガイドとして左右方向に突出する状態で該シャッターカーテンのガイドするようにして、シャッターカーテンの開閉作動に連動して水平姿勢と垂下姿勢とに変姿する可動式のものとする一方、前記避難扉には、垂下姿勢になったガイドレールの貫通ガイドを塞ぐための塞ぎ体が設けられている建築用シャッター。
【請求項２】
請求項１において、避難扉およびシャッターカーテンは、火災等の異常検知手段からの検知信号を受けて共に閉作動を開始する設定となっている建築用シャッター。
【請求項３】
請求項１または２において、避難扉は、躯体側に開閉揺動自在に軸支されたものとする一方、塞ぎ体は、ガイドレールの貫通ガイドを塞ぐべく避難扉の閉鎖方向上手側または下手側の少なくとも一方に突出している建築用シャッター。
【請求項４】
請求項１、２または３において、ガイドレールには、シャッターカーテン最下端の座板に干渉する干渉部材が下端部に設けられている建築用シャッター。
【発明の詳細な説明】
【０００１】
【発明の属する技術分野】
本発明は、ビル、工場等の建築物の開口部や大部屋、地下通路等に防火、防煙区域を形成したりするために設けられる建築用シャッターの技術分野に属するものである。
【０００２】
【従来の技術】
一般に、ビルや工場等の開口部や大部屋、あるいは地下通路には、火災等の異常時に対処するため防火、防煙区画を設定し、類焼を防いで被害の拡大を抑えるようにすることが計られる。この場合、防火、防煙区画を形成するには、防火機能を備えたシャッターカーテンを閉鎖することで達成されるが、このままでは取り残された人が逃げることができず、そこで、閉鎖姿勢のシャッターカーテンに隣接する状態で開閉する避難扉を設けることが実施されている。
ところがこの避難扉を常時閉状態にしておくと、開口が狭くなる等して邪魔であり、そこで避難扉を常時は開放しておき、異常発生に伴い閉鎖することが提唱される。これに対し建築用シャッターには、前記シャッターカーテンを開閉作動させるためガイドレールが必要であるが、ガイドレールを固定式としたものでは、避難扉を常時開放式とした場合に該避難扉側のガイドレールが取り残されてしまうことになり、邪魔である。
【０００３】
そこで、実開昭４８ー８０５５号公報に示すように、ガイドレールを避難扉に設けることが提案されている。
しかるにこのものでは、避難扉が閉鎖してからでなければガイドレールが所定位置にセットされないものであるから、シャッターカーテンの閉作動は避難扉の全閉を待って行わなければならず、一刻も早くシャッターカーテンを閉作動させたいにも拘わらず、これができないことになって防災機能に劣るという問題がある。
これに対処するため、ガイドレールを、上端部が天井側に揺動自在に軸支されたものとし、シャッターカーテンの開閉作動に連動して水平姿勢と垂下姿勢とに揺動変姿できるように構成して、シャッターカーテンの閉鎖を、避難扉の閉鎖に関係ないものとして同時の閉作動が行えるようにすることが考えられる。
【０００４】
【発明が解決しようとする課題】
しかるに、このように構成した場合、ガイドレールは、開閉作動過程でシャッターカーテンを左右方向貫通状態でガイドすることになるので、ガイドレールは、貫通ガイドが長手方向に開設された内外（前後）分割型のものとなり、そうすると、シャッターカーテンは閉鎖していたとしても、ガイドレールの貫通ガイド部において内外が連通状になって防災機能が劣ることになり、ここに本発明が解決しようとする課題があった。
【０００５】
【課題を解決するための手段】
本発明は、上記の如き実情に鑑み、これらの課題を解決することを目的として創作されたものであって、請求項１の発明は、天井部から繰出される閉鎖姿勢と天井部に収納される開放姿勢とに変姿するシャッターカーテンに、閉鎖姿勢のシャッターカーテンに隣接した位置で開閉作動すべく設けられた避難扉を並設するにあたり、シャッターカーテンの避難扉側のガイドレールを、上端部が天井側に揺動自在に軸支され、間隙を存して対向する前後一対のガイド片で構成して、シャッターカーテンが前記間隙を貫通ガイドとして左右方向に突出する状態で該シャッターカーテンのガイドするようにして、シャッターカーテンの開閉作動に連動して水平姿勢と垂下姿勢とに変姿する可動式のものとする一方、前記避難扉には、垂下姿勢になったガイドレールの貫通ガイドを塞ぐための塞ぎ体が設けられている建築用シャッターである。
これによって、シャッターカーテンを迅速に閉鎖できるものでありながら、防災機能の優れたものにできる。
請求項２の発明は、請求項１において、避難扉およびシャッターカーテンは、火災等の異常検知手段からの検知信号を受けて共に閉作動を開始する設定となっている建築用シャッターである。
請求項３の発明は、請求項１または２において、避難扉は、躯体側に開閉揺動自在に軸支されたものとする一方、塞ぎ体は、ガイドレールの貫通ガイドを塞ぐべく避難扉の閉鎖方向上手側または下手側の少なくとも一方に突出している建築用シャッターである。
請求項４の発明は、請求項１、２または３において、ガイドレールには、シャッターカーテン最下端の座板に干渉する干渉部材が下端部に設けられている建築用シャッターである。
【０００６】
【発明の実施の形態】
次に、本発明の実施の形態を図１〜図１４に示す図面に基づいて説明する。
図面において、１は大開口部に複数並設された防火シャッターのシャッターカーテンであって、各シャッターカーテン１は、天井側に軸承される巻取り軸２に巻装されており、該巻取り軸２がブレーキ付の開閉機３の正逆駆動に基づいて正逆回転することに伴い巻取り、巻出しされて、開口部を閉鎖する閉鎖姿勢と天井部に収納される開放姿勢とに変姿するように設定されている。因みに、これらシャッターカーテン１は、図示しない操作スイッチの操作に基づいて開閉するが、シャッターカーテン１の開放状態において火災等が発生した場合では、異常検知手段の異常検知に伴いブレーキ解除がなされると共に開閉機３に内装するガバナの働きでシャッターカーテン１が自重閉鎖するように設定されている。
尚、４はシャッターカーテン１最下端の座板であって、該座板４は、底板部４ａとその前後両側部において上方に起立する前後板部４ｂ、４ｃとを備えて側面視略山字形をし、前後板部４ｂ、４ｃには後述する支持ローラ６が転動自在に内嵌するためのローラガイド４ｄがそれぞれ形成され、また、底板部４ａの左右両端部にはストッパ片４ｅが上方に向けて突出形成されている。
【０００７】
５は各シャッターカーテン１を案内するガイドレールであって、該ガイドレール５は、間隙（後述する貫通ガイド）５ａを存して対向する前後一対のガイド片５ｂ、５ｃで構成されると共に、基端部（上端部）が支軸５ｄを介して天井部躯体側に揺動自在に軸承され、また、先端部（下端部）の各ガイド片５ｂ、５ｃには、互いに対向する状態で前記支持ローラ６が回動自在に軸承されている。さらに、各ガイド片５ｂ、５ｃには、前記支持ローラ６の近傍に位置して作動アーム７の基端部がピン軸７ａを介して揺動自在に軸承されている。ここで、各作動アーム７は先端部に補助輪７ｂが軸承されていて、後述するように座板底板部４ａの上面を移動するように設定されるが、該作動アーム７の先端部は垂下姿勢となったガイドレール５の先端を超えない長さ設定になっている。
尚、５ｅはガイドレール５の先端部（下端部）から出没自在に設けられたラッチピンであって、ガイドレール５が垂下姿勢に変姿したこと、つまりシャッターカーテン１が略全閉したことの検知に伴う係止手段５ｆの解除作動に伴い自動的に突出して躯体側の係合受け部Ｆに係合してガイドレール５の下端部をロックできるように設定されている。
【０００８】
そして、シャッターカーテン１の収納状態において、ガイドレール５は、支持ローラ６がまぐさ部に位置するローラガイド４ｄに支持される状態で下動規制されており、これによってガイドレール５は水平姿勢となって天井部に収納される設定となっている。このとき、前記作動アーム７は、補助輪７ｂが座板底板部４ａに支持され、基端部が左右方向内方側に位置する倒伏姿勢となっている。
この状態から、シャッターカーテン１が巻出されると、ガイドレール５は、支持ローラ６がローラガイド４ｄを転動しながら徐々に垂下姿勢側に向けて下方揺動するが、これに伴い前記作動アーム７は、補助輪７ｂが底板部４ａ上面を左右方向外方側に向けて転動する一方で、シャッターカーテン１は、前記ガイド片５ｂ、５ｃ間の間隙が貫通ガイド５ａとなってここを左右方向に貫通する状態でガイドされる。
そして、シャッターカーテン１が閉鎖姿勢に近づくと、支持ローラ６は、ローラガイド４ｄの左右端から外れて座板４から自由になり、これにタイミングを合わせるようにして作動アーム補助輪７ｂが底板部４ａの端部位置に達してストッパ片４ｅとのあいだのコーナー部に当接し（図１０）、これ以上の補助輪７ｂの左右方向外方への移動が規制される。そうして該移動規制がなされた以降は、ガイドレール５は、作動アーム７を介して座板４に支持される状態で下降揺動し、そしてガイドレール５が略垂下姿勢となる（図１１（Ａ））と、これにタイミングを合わせる状態で補助輪７ｂが座板ストッパ片４ｅから離間して作動アーム７は自由垂下状態となり、ガイドレール５は前記ラッチピン５ｅにより躯体側に固定される。この状態において、シャッターカーテン１は全閉状態となる少し前位置に位置しており、これによって、座板４の下面と躯体床面とのあいだに空気流通用の隙間が形成され、シャッターカーテン１への風圧に基づく負荷を押えた状態で全閉姿勢となる（図１１（Ｂ））。
ここで、作動アーム７には、前記自由状態になった作動アーム７が鉛直状態まで垂下するのを避けるためにストッパピン７ｃが設けられており、ストッパピン７ｃ先端がガイドレール５の左右方向内面に当接することで、作動アーム７を、先端（下端）側が左右方向外方に位置する傾斜姿勢に保持できるように設定されている。
【０００９】
これに対し、全閉姿勢のシャッターカーテン１を開放させる場合について説明する。まず、座板４の上動により、前記傾斜姿勢に保持された作動アーム７の補助輪７ｂが底板部４ａとストッパ片４ｅとのコーナー部に当接して前記作動アーム７が移動規制状態となり、これによって、ガイドレール５は作動アーム７を介して座板４に支持され、この状態でガイドレール５が持ち上げられることとなるが、このとき、底板部４ａには、左右方向内方側程高い傾斜ピース４ｆが設けられていて、作動アーム７に対し、座板４の上動に伴い基端側が左右方向内方に向く倒伏姿勢に変姿する方向に力が作用するように設定されている。さらにシャッターカーテン１が巻取られると、支持ローラ６が前記ローラガイド４ｄに遊嵌し、これによってガイドレール５は、作動アーム７を介する状態から支持ローラ６を介する状態で座板４からの支持を受け、以降、この状態でシャッターカーテン１が全開姿勢となり、ガイドレール５は前記水平姿勢に変姿するように設定されている。
【００１０】
さて、前記防火シャッターのうち、大開口部の一側部に位置する防火シャッター（図１において図面向かって右側）の側部には、避難扉８が隣接して配設されるが、避難扉８は、ヒンジ８ａにより一側（吊元側）が躯体に開閉揺動自在に枢支されており、躯体側面に沿って位置して開口部を開放する開放姿勢と、シャッターカーテン１と隣接する位置の開口部を閉鎖する閉鎖姿勢とに変姿できるように設定されている。そして避難扉８は、火災等を検知する異常検知手段の異常検知に伴い、図示しない自閉装置のロック解除がなされて自閉作動する構成となっている。
【００１１】
ところで、避難扉８は前後一対の板面８ｂ、８ｃのあいだに断熱材等のコア材が介装されたものとなっているが、このものには、開き戸式の子扉９がヒンジ９ａを介して開閉自在に枢支されていて、避難扉８を閉鎖したままの状態で子扉９を開放して避難できるようになっている。
さらに避難扉８は、前記閉鎖姿勢において躯体上方に設けた戸当りストッパ８ｅに当接しており、この状態で前記垂下姿勢となったガイドレール５の後側ガイド片５ｃ（後側のガイドレール半部）と躯体とのあいだを閉鎖するが、避難扉８の戸先側端部は後側ガイド片５ｃの左右方向外方部に前後方向近接対向する位置関係で閉鎖しており、これによって、垂下姿勢となったガイドレール５の後側ガイド片５ｃと避難扉８との隣接部位において、煙や空気の流路が迷路構造となるように設定されている。そして、避難扉８の前記対向面と子扉９とのあいだの前板面８ｂには上下方向に長い凹溝状部８ｄが形成され、該凹溝状部８ｄに本発明が実施された塞ぎ体１０が配設されている。つまり、塞ぎ体１０は、垂下姿勢となったガイドレール５の貫通ガイド５ａを左右方向外方から塞ぐべく寸法設定された板体で構成され、避難扉８に対してヒンジ１０ａを介して揺動自在に枢支されている。そして、塞ぎ体１０の板面が避難扉前板面８ｂと略面一状になる状態で凹溝状部８ｄに収納される収納姿勢と、略９０度前方に、つまり避難扉８の閉鎖方向下手側である前側ガイド片５ｂ側に揺動して前記貫通ガイド５ａを塞ぐ塞ぎ姿勢とに変姿するように設定されている。さらに塞ぎ体１０は、図示しない付勢手段により前記塞ぎ姿勢側に向けて付勢されていると共に、避難扉８側に設けた止め部材１１により収納姿勢に係合保持される構成となっている。そうして前述したように火災等が発生してシャッターカーテン１と避難扉８とが閉鎖されることになるが、塞ぎ体１０は、シャッターカーテン１の全閉検知に基づいて止め部材１１の係合解除がなされ、これによって貫通ガイド５ａを塞ぐ塞ぎ姿勢に変姿するように設定されている。この場合、シャッターカーテン１の全閉検知ではなく、避難扉８の全閉検知に基づいて止め部材１１の係合解除を行うようにしてもよい。
【００１２】
叙述の如く構成された本発明の実施の形態において、シャッターカーテン１と避難扉８とを開放姿勢としたときに、ガイドレール５は天井側に収納されているため、邪魔のない大開口を確保できる。そして、火災等の異常が発生するとシャッターカーテン１と避難扉８とを閉鎖して防火、防煙区域を作ることになるが、この場合に、前記ガイドレール５は、シャッターカーテン１が閉作動をした場合に、その閉鎖ガイドをしながら自ら垂下姿勢に変姿することになるから、シャッターカーテン１を、異常検知手段による異常検知に連繋して避難扉８と同時的に閉作動を開始できる。従って、従来のガイドレールを避難扉に設けたもののように、シャッターカーテンの閉作動を、避難扉が閉鎖作動を完了してガイドレールが所定位置にセットされてから開始するような必要がなく、迅速なシャッターカーテン１の閉作動を行えることになって、防災性に優れたものとなる。
【００１３】
このように、本発明が実施されたものでは、避難扉８の閉鎖を待つことなくシャッターカーテン１の閉作動を行うことができるが、この場合のガイドレール５は、シャッターカーテン１を左右方向に貫通するための貫通ガイド５ａが設けられたものになって、このままではシャッターカーテン１が全閉しても貫通ガイド５ａを通して煙り等が漏れて防災機能が低下することになる。しかしながらこの貫通ガイド５ａは、避難扉８に設けた塞ぎ体１０によって塞がれるため、防災機能の低下を防止できる。
【００１４】
しかも塞ぎ体１０は、シャッターカーテン１の全閉に基づいて塞ぎ作動するように構成したため、塞ぎ体１０が垂下姿勢に変姿途中のガイドレール５に干渉する不具合を回避できると共に、塞ぎ体１０をガイドレール５に可及的に近接したものに構成できて貫通ガイド５ａの塞ぎ性能の高いものにできる。しかも、この場合では、ガイドレール５の下端部がロックされた以降に塞ぎ体１０が塞ぎ姿勢側に変姿するタイミングになるため、塞ぎ体１０を避難扉８に対して９０度回転した塞ぎ姿勢で停止させることなく、９０度以上回転できるものとし、かつ該方向に向けて付勢されたものとして、塞ぎ姿勢になった塞ぎ体１０がガイドレール５に弾圧状に当接する構成としておくこともでき、このように構成することによってより高い塞ぎ機能を発揮できるという利点がある。
【００１５】
このように前記第一の実施の形態は、異常検知手段による異常検知に連繋して、シャッターカーテン１と避難扉８とが同時的に閉作動を開始し、この後シャッターカーテン１が全閉状態となったことの検知に基づいて塞ぎ体１０の閉作動が開始する構成となっている。このため、本実施形態のものでは、シャッターカーテン１の全閉を検知するための手段が必要となり、このものでは、該全閉検知を用いてガイドレール５先端部に設けた係止手段５ｆの係止作動制御も合わせて行う設定となっている。
【００１６】
次に、シャッターカーテン１の全閉検知を不要とするように構成された第二の実施の形態ついて図１５〜図２１の図面に基づいて説明する。これら図面において、第一の実施の形態と共通するもの（同一のもの）については、同一の符号を付して引出すと共にその詳細については省略する。
このものは、シャッターカーテン１の基本構成および開閉作動の基本構成については前記第一の実施の形態と略同様であるが、本実施の形態では、ガイドレール５に作動アーム１２を揺動自在に軸承するためのピン軸１２ａに、支持ローラ１３を軸承する設定となっており、支持ローラ１３と、作動アーム１２の先端部に設けられる補助輪１２ｂとが、座板１４に形成される同一のローラガイド１４ａを走行するように構成されている。そして、ガイドレール５は、シャッターカーテン１の開閉作動に伴い、前記第一の実施形態と同様に支持ローラ１３、作動アーム１２、補助輪１２ｂを介して座板１４に支持されながら下方揺動を行うようになっている。
因みに、ガイドレール５が垂下姿勢となった場合に、シャッターカーテン１は全閉する少し前位置に位置しており、座板１４と床面とのあいだに空気流通用の隙間が形成されることは前記第一の実施の形態と同様の構成であるが、これ以降、シャッターカーテン１の閉作動の継続より座板１４が補助輪１２ｂから離間した場合に、本実施の形態の作動アーム１２は自然垂下状態となるように設定されている。そして、シャッターカーテン１が開放する場合では、上動する座板１４に設けた傾斜ガイド１４ｂが補助輪１２ｂに当接することで、補助輪１２ｂを座板１４のストッパ辺１４ｃ側に誘導して作動アーム１２を、補助輪１２ｂが軸承される先端側が基端部よりも左右方向外方に位置する傾斜姿勢に復帰するように設定されており、この状態で作動アーム１２が座板５からの上動支持を受けて次第に倒伏姿勢に変姿することで、ガイドレール５を上方揺動させるようになっている。
【００１７】
また、ガイドレール５の先端（下端）部には下端部が細径に形成されたラッチピン１５が出没自在に内装されており、該ラッチピン１５の上部に解除手段１５ａが設けられている。この解除手段１５ａは、ソレノイドが励磁されることでラッチピン１５を没入せしめる構成となっており、シャッターカーテン１の開作動するためのスイッチ作動に連動して励磁しラッチピン１５を没入（上動）させて解除状態になるが、それ以外のときには非励磁状態となってラッチピン１５が自重降下可能な状態になるように設定されている。一方、１６はラッチピン１５を係合するよう床面に設けられた係合部材であって、該係合部材１６には、ガイドレール５が垂下姿勢になった状態でラッチピン１５に対向する係合孔（溝）１６ａが設けられている。そして、シャッターカーテン１の閉作動過程において、ガイドレール５が下方揺動して垂下姿勢に近づいていくと、自重降下して下方に突出しているラッチピン１５は、係合孔１６ａの手前位置で先端部が係合部材１６の上面に当接して押上げられ、これが、ガイドレール５が垂下姿勢になることにタイミングを合わせて自重降下して係合孔１６ａに自動的に落ち込むようになっており、このようにしてガイドレール５をロックするときに、シャッターカーテン１の全閉検知に対応させてソレノイドの励磁をさせるような配慮が不要になるように設定されている。
【００１８】
そして、本実施形態の避難扉１７は、一側縁部がヒンジ１７ａを介して躯体に揺動自在に枢支されており、躯体に沿う開放姿勢と、閉鎖したシャッターカーテン１に隣接する閉鎖姿勢とに開閉揺動する設定となっている。そして避難扉１７は、シャッターカーテン１の閉作動の開始に伴い図示しないロック装置の解除作動によって自閉することは前記第一の実施形態と同様となっている。ここで、避難扉１７の上縁部は閉鎖姿勢で躯体（天井）側の戸当りストッパ１７ｂに当接する設定となっており、この閉鎖姿勢で垂下姿勢のガイドレール前側ガイド片５ｂ（前側のガイドレール半部）と躯体とのあいだを閉鎖する構成となっているが、前側ガイド片５ｂの前半部には突片（戸当り）１７ｃが形成されていて、閉扉時、避難扉１７の戸先側端部は、突片１７ｃと前側ガイド片５ｂの左右方向外方部側端面とで形成されるコーナー部に近接対向する位置関係で閉鎖しており、これによって、垂下姿勢となったガイドレール５の前側ガイド片５ｂと避難扉１７との隣接部位において、煙や空気の流路が迷路（相決り）構造となるように設定されている。
【００１９】
一方、避難扉１７には避難用子扉１８とガイドレール５の貫通ガイド５ａを左右方向外方から塞ぐ塞ぎ体１９がそれぞれ揺動自在に枢支されている。前記塞ぎ体１９は、避難扉１７の後側扉面１７ｄに凹設された凹溝状部１７ｅに積層状に組込まれ、図示しない弾機付のヒンジ（スプリングヒンジ）１９ａを介して避難扉１７の戸先側に枢支され、凹溝状部１７ｅに収納される収納姿勢から、避難扉１７の閉鎖方向上手側に揺動して貫通ガイド５ａを塞ぐ塞ぎ姿勢となるが、このとき塞ぎ体１９は、後側ガイド片５ｃ側に９０度を越えて揺動する塞ぎ姿勢となる方向に常時付勢される設定となっている。このため塞ぎ体１９は、塞ぎ体１９の先端部が後側ガイド片５ｃに押圧状に当接する設定となっていて、塞ぎ効果を高めるように設定されている。そして、異常検知手段が異常検知をした場合に、シャッターカーテン１と避難扉１７とが同時的に閉作動を開始することに合わせて、塞ぎ体１９を収納姿勢に保持する止め部材１９ｂが解除作動する設定になっている。
【００２０】
さて、本実施の形態では、塞ぎ体１９は避難扉１７の閉鎖動と略同時に塞ぎ姿勢に変姿することになり、この変姿状態で避難扉１７が閉鎖姿勢となるが、この場合に、下方揺動してくるガイドレール５が塞ぎ体１９に干渉したとして、該塞ぎ体１９はガイドレール５により収納姿勢に向く側、つまりスプリングヒンジ１９ａに抗して押し戻される方向の負荷を受けることになる。この結果、塞ぎ体１９が避難扉１７に対し９０度を越えて、避難扉１７の戸先側端部よりも突出した塞ぎ姿勢になって、全閉状態で塞ぎ体１９と後側ガイド片５ｃとのあいだを押圧状に塞ぐ構成のものでありながら、塞ぎ体１９を塞ぎ姿勢としたままの避難扉１７を問題なく閉作動できることになって閉作動が損なわれることがない。これによって塞ぎ体１９の変姿作動は、避難扉１７の全閉、またはシャッターカーテン１の全閉を待つことなく実行することができ、しかも、避難扉１７が所定の閉鎖姿勢に位置することで塞ぎ体１９も所定の塞ぎ姿勢に復帰することになる。この結果、塞ぎ体１９の止め部材１９ｂは必ずしも必要がなく、付勢力に抗して塞ぎ体１９を収納姿勢にした状態で避難扉１７を開放姿勢に保持し、これにより躯体とのあいだで挟み込むようにして収納姿勢に維持する設定にすることができ、さらなる簡略化が計れる。
このように、第二の実施の形態のものでは、塞ぎ体１９の塞ぎ姿勢は９０度以上揺動して高い塞ぎ機能を有するものでありながら、塞ぎ姿勢への姿勢変姿を、シャッターカーテン１の全閉検知時に行うのではなく、シャッターカーテン１の閉作動の開始と同時でよく、かつ、ラッチピン１５の係合作動は自然落下でよいものであるので、シャッターカーテン１の全閉検知や避難扉の全閉検知が不要となって構造の簡略化を計ることができる。
【００２１】
さらに、塞ぎ体としては、前記第一、第二の実施の形態のように避難扉に揺動自在に設けたものに限定されることは勿論なく、避難扉２０に予め塞ぎ姿勢となった塞ぎ体２１を一体的に突出形成する構成としてもよく、このような構成としては図２２に示す第三の実施の形態のものがある。このものでは、避難扉２０はガイドレール５の前側ガイド片５ｂと躯体とのあいだを閉鎖する構成となっており、そのため塞ぎ体２１は避難扉２０の閉鎖方向上手側に突出して貫通ガイド５ａを塞ぐよう避難扉２０の後側扉面２０ｃに一体的に突設されている。この場合では、塞ぎ体２１を蝶番を介して揺動させる構成にする必要がないうえ、シャッターカーテン１の全閉検知や避難扉２０の全閉検知が不要となる。
【図面の簡単な説明】
【図１】シャッターカーテンと避難扉との閉鎖状態を示す概略正面図である。
【図２】シャッターカーテンと避難扉の概略平面図である。
【図３】図１におけるＡ−Ａ矢視図である。
【図４】図１におけるＢ−Ｂ断面図である。
【図５】図１におけるＣ−Ｃ断面図である。
【図６】避難扉の平面断面図である。
【図７】図７（Ａ）、（Ｂ）はそれぞれ避難扉の正面図、平面図である。
【図８】シャッターカーテンの開放姿勢におけるまぐさ部の一部切欠き側面図である。
【図９】シャッターカーテンの作動中における座板とガイドレールとの関係を示す側面図である。
【図１０】シャッターカーテンの閉作動過程における座板とガイドレールとの関係を示す説明図である。
【図１１】図１１（Ａ）、（Ｂ）はそれぞれシャッターカーテンの閉作動過程における座板とガイドレールとの関係を示す説明図である。
【図１２】図１におけるＤ−Ｄ断面図である。
【図１３】シャッターカーテンの閉鎖姿勢におけるガイドレール部の一部省略正面図である。
【図１４】図１４（Ａ）、（Ｂ）はそれぞれガイドレールのロック構造を示す側面断面図、正面断面図である。
【図１５】第二の実施の形態のシャッターカーテンと避難扉の閉鎖状態を示す概略正面図である。
【図１６】第二の実施の形態の避難扉の平面断面図である。
【図１７】第二の実施の形態のガイドレールのロック構造を示す側面図である。
【図１８】図１７のＥ−Ｅ断面図である。
【図１９】第二の実施の形態のシャッターカーテンの開放姿勢におけるまぐさ部の一部切欠き側面図である。
【図２０】シャッターカーテンの開閉作動過程におけるガイドレール部の断面図である。
【図２１】図２１（Ａ）、（Ｂ）、（Ｃ）はそれぞれ第二の実施の形態におけるシャッターカーテンの開閉作動過程における座板とガイドレールとの関係を示す説明図である。
【図２２】第三の実施の形態の避難扉の平面断面図である。
【符号の説明】
１    シャッターカーテン
３    開閉機
４    座板
４ｅ    ストッパ片
５    ガイドレール
５ａ    貫通ガイド
６    支持ローラ
７    作動アーム
７ｂ    補助輪
８    避難扉
９    子扉
１０    塞ぎ体
１１    止め部材
１２    作動アーム
１３    支持ローラ
１４    座板
１５    ラッチピン
１５ａ  解除手段
１７    避難扉
１８    避難用子扉
１９    塞ぎ体
【図１】
0003785605.tif 000002
【図２】
0003785605.tif 000003
【図３】
0003785605.tif 000004
【図４】
0003785605.tif 000005
【図５】
0003785605.tif 000006
【図６】
0003785605.tif 000007
【図７】
0003785605.tif 000008
【図８】
0003785605.tif 000009
【図９】
0003785605.tif 000010
【図１０】
0003785605.tif 000011
【図１１】
0003785605.tif 000012
【図１２】
0003785605.tif 000013
【図１３】
0003785605.tif 000014
【図１４】
0003785605.tif 000015
【図１５】
0003785605.tif 000016
【図１６】
0003785605.tif 000017
【図１７】
0003785605.tif 000018
【図１８】
0003785605.tif 000019
【図１９】
0003785605.tif 000020
【図２０】
0003785605.tif 000021
【図２１】
0003785605.tif 000022
【図２２】
0003785605.tif 000023